(57)【要約】【課題】ストレーナ用筒状スクリーンを内蔵して流体配管中に設置される機器類であるＹ型ストレーナやスチームトラップ等の筒状スクリーン内に捕集して溜まった流体中の異物の排出や、濾過用のスクリーン外周の小孔の目詰まりや、筒状スクリーン内外面への付着汚れ等の清掃が容易に行えるストレーナ用筒状スクリーンを提供することにある。【解決手段】ストレーナ入口に通じる流路にストレーナの挿脱口Ｃから収容してスクリーンの小孔ｈで濾過された流体を通過させるストレーナ用の筒状スクリーン１において、筒状スクリーン１の少なくとも一端部の内側に把手５を設けて、その把手５を挿脱口Ｃに面して挿入する対応をする。【選択図】  図３
2004230305.tif 000002
【特許請求の範囲】
【請求項１】
ストレーナ入口に通じる流路にストレーナの挿脱口から収容してスクリーンの小孔で濾過された流体を通過させるストレーナ用の筒状スクリーンにおいて、
前記筒状スクリーンの少なくとも一端部の内側に把手を設けて、その把手を挿脱口に面して挿入することを特徴とするストレーナ用の筒状スクリーン。
【請求項２】
前記把手が、板材の長手方向の両端をそれぞれ同方向に曲げたコの字状である請求項１に記載のストレーナ用の筒状スクリーン。
【請求項３】
前記把手が、そのコの字状の両端折り返し部の外面をスクリーンの一端部の内周面の軸線方向に沿わせてその先端をスクリーンの端面に合わせて、コの字形状の中央部をスクリーン横断面の直径方向に跨がらせて少なくともスクリーンの一端部の内周面に内嵌し、スクリーンの一端部の内周面とコの字形状の両端折り返し部の重なり部を溶接付けしてある請求項１または２に記載のストレーナ用の筒状スクリーン。
【発明の詳細な説明】
【０００１】
【発明の属する技術分野】
この発明は、流体配管中に設置される機器類に内臓した通過流体中の異物除去用の筒状スクリーンに係わり、詳しくは、例えばＹ型ストレーナやスチームトラップ等のケーシング内を通過する流体を濾過できるようにケーシング外から挿入された筒状スクリーンの着脱を容易にしたストレーナ用筒状スクリーンに関する。
【０００２】
【従来の技術】
従来、市販されて多用される小径ストレーナでは（図５参照）、筒状スクリーンの基端部をスクリーンホルダーの段付き部に嵌挿させて組み立てた状態で、筒状スクリーンの先端部からストレーナ本体のスクリーン挿脱口に、挿入してストレーナ本体内の連通孔部のリング状溝に嵌挿しながらスクリーンホルダーを螺合させて装着していた。また個別使途に対応しうると考えられる以下のものがあった。
【０００３】
つまりストレーナ用筒状スクリーンを内蔵して流体配管中に設置される機器類の代表としては、Ｙ型ストレーナやスチームトラップ等があり、筒状スクリーン内に捕集して溜まった流体中の異物の排出に当たって、蓋部を外して筒状スクリーンを取り出して異物の排出とスクリーン筒面の穴掃除を適宜行い用いていた。
【０００４】
例えば、流体中の異物を捕集し異物で汚れ詰まった筒状スクリーンの取り出しの簡単化を狙い、多数の小孔を打ち抜いた金属板を筒状に形成したスクリーンの基端部を蓋部に一体的に取り付け、この蓋体をストレーナーの挿脱口にクランプによって締結固定してスクリーンの着脱を蓋部の着脱と一体で行う方法があった（例えば、特許文献１参照）。
【０００５】
さらに、ストレーナーの清掃を容易にしようと、筒状スクリーンの基端部内面に円錐形状のホッパを付設し蓋部を貫通して外部に導出した配管端にボールバルブを接続しその開放によって、蓋を開放することなく簡便に筒状スクリーンの内部に溜まり詰まった異物や汚れを外部に排出できる方法があった（例えば、特許文献２参照）。
【０００６】
【特許文献１】
特開２０００−３７６０８号公報
【特許文献２】
特開平１０−５７７２４号公報
【０００７】
【発明が解決しようとする課題】
しかしながら、先ず図５の小口径ストレーナでは、その筒状スクリーンの定期的な掃除で取外しの際に、筒状スクリーンがストレーナ本体内の連通孔部のリング状溝部にスケール汚れや錆が固着してまたスクリーンの基端部が変形してスクリーンホルダーの段付き部から外れ、ストレーナ本体内に取り残されたり、逆に筒状スクリーンの挿入組込時にはストレーナ本体内の連通孔部のリング状溝への嵌挿に手こずる現場での取扱上の問題が残されており、手の入りにくい配管類が交叉したり床面近くの低い位置に設置されることも多いことから手探りでの作業となり、とりわけ小口径配管機器では指先がこの孔部で旨く使えずこの筒状スクリーンを着脱してクリーニングを行うには現場保全上の厄介な問題があった。
【０００８】
また特許文献１に開示されるスクリーンの基端部を蓋部に一体的に取り付けてワンタッチクランプで締結固定した方法では、更に筒状スクリーンが蓋部の内面側にネジ締めした内板の外周に嵌合し一体に溶接付けしてあり、蓋部の外面に設けた把手を握って、挿脱口から蓋部と一体になった筒状スクリーンを着脱清掃できるものの、筒状スクリーン部が溶接付けされて筒状スクリーン単体の交換が外段取りになり、破れや孔サイズの変更には、内板を含め一体補修が必要で汎用的な使用には不適であると共に、比較的口径サイズの小さなストレーナー等には適応しづらい問題があった。
【０００９】
更に特許文献２に開示されるスクリーンを取り出すことなく内部清掃する方法では、基本的に筒状スクリーンの濾過部となる外周に設けてある多数の小孔の孔詰まりやスクリーンの内外周に付着した汚れの清掃に当たって、短期的な清掃はスクリーンホルダー４３を貫通して設けたボールバルブを全開してその開口部よりワイヤブラシ等の清掃具を挿入して行い長期的にはやはり解体して清掃するもので、比較的小型のストレーナへの対応には限界があった。
【００１０】
本発明はこのような問題点を改善するものであり、その主な目的はストレーナ用筒状スクリーンを内蔵して流体配管中に設置される機器類のＹ型ストレーナやスチームトラップ等の筒状スクリーン内に捕集して溜まった流体中の異物の排出や筒状スクリーンの小孔の目詰まりや筒状スクリーン内外面への付着汚れ等の清掃が容易に行えるストレーナ用筒状スクリーンを提供することにある。
【００１１】
【課題を解決するための手段】
請求項１の構成においては、ストレーナ入口に通じる流路にストレーナの挿脱口から収容してスクリーンの小孔で濾過された流体を通過させるストレーナ用の筒状スクリーンにおいて、  前記筒状スクリーンの少なくとも一端部の内側に把手を設けて、その把手を挿脱口に面して挿入することが出来る。これによれば、ストレーナ本体内に収容された状態の円筒スクリーンで掴みどころがなく且つ指先も届かない状態の筒状スクリーンを掴める把手を設ける事が出来る。
【００１２】
請求項２の構成においては、請求項１において、把手が、板材の長手方向の両端をそれぞれ同方向に曲げたコの字状であることを可能にする。これによれば、把手をコの字形に同方向に曲げることができるから、密接面が筒状スクリーンの端面で同方向に設置出来て、且つ密接面積が調整できる。
【００１３】
請求項３の構成においては、請求項１または２の構成において、把手が、そのコの字状の両端折り返し部の外面をスクリーンの一端部の内周面の軸線方向に沿わせてその先端をスクリーンの端面に合わせて、コの字形状の中央部をスクリーン横断面の直径方向に跨がらせて少なくともスクリーンの一端部の内周面に内嵌し、スクリーンの一端部の内周面とコの字形状の両端折り返し部の重なり部を溶接付け出来る。
【００１４】
これによれば、筒状スクリーンの端部でその円形断面を二つに分割するように中央部に把手を跨らせて、その把手の両端曲げ部の先端をスクリーンの端面に合わせて内嵌でき、その曲げ部とスクリーン端部の重なり部を外方から容易に溶接できるものとしている。
【００１５】
【発明の実施の形態】
本発明のストレーナ用の筒状スクリーンの一実施形態について、図１〜図５を参照して、説明する。先ずこのストレーナ３０としては、例えば、図４（ａ）Ｙ型ストレーナ（ｂ）スチームトラップに例示するように、（ａ）Ｙ型ストレーナ４０は、配管中に直接接続して管中を流れる流体中の異物を濾過する形態のストレーナーであり、（ｂ）スチームトラップ５５では配管中の蒸気ドレーンを排出するトラップ機器を配管に接続しこの器内を流れる流路中に内蔵させたストレーナ等に適用できる。
【００１６】
次にストレーナ３０の構成は、例えば、図２の筒状スクリーン１を装着したＹ型ストレーナ４０の全体図で説明する。配管に接続する入口Ｉと出口Ｅを備えスクリーン１を着脱できる挿脱口Ｃを有した本体４１と、筒状スクリーン１を挿脱口Ｃから挿入して本体内に収容すると共に挿脱口Ｃを密封するスクリーンホルダー４３と、この密封面に介在して漏れを抑止するガスケット４５と、本発明に係わる筒状のスクリーン１とから構成されている。
【００１７】
続いてストレーナ３０の機能は、配管中或いは器内流路を通過する流体中の異物を除去して後続の計器類の正常作動を保護するものである。図４（ａ）では、図中で本体４１の水平方向の入口Ｉと出口Ｅに配管を接続し、入口から流入しほぼ４５°向きを変えて挿脱口Ｃに向けて流入した流体を筒状スクリーン１内に導入してスクリーンの外周に設けた無数の小孔ｈをくぐらせて異物を濾過しスクリーン内部に捕集して溜める。異物を除去されて小穴を通過した流体は出口Ｅから流出する。
【００１８】
またスチームトラップ５５に用いた図４（ｂ）では、図中の入口Ｉより本体５６の壁面に内蔵させた流路に流入した流体を本体底部壁に内臓させたストレーナ部に導入して、同様にスクリーン１の外周に設けた無数の小孔ｈをくぐらせて異物を濾過しスクリーン内部に捕集して溜め、小穴ｈを通過した流体が異物を除去されて底部出口Ｅからドレーンフロート５８部にはいりフロートを押し上げて流れ開口状態のノズル部５９等の狭い作動隙間に異物を噛み込ますこと無く器外に流出してトラップ機能が発揮できる。
【００１９】
次いで本発明に係わる筒状スクリーン１については、図１ストレーナ用の筒状スクリーンの全体図で（ａ）その軸線を含む縦断面図、（ｂ）外観側面図を用いて説明する。先ず、筒状スクリーン１は筒体３と、把手５とから成る。
【００２０】
筒体３は、種々の孔径でその孔径に応じた最小孔ピッチで穿孔加工した孔空きの金属薄板材を筒状に丸めて、その丸め端の一部を重ねて、重ね部をスポット熔接等で固着して筒状体としてあり、その外周面には無数の小孔ｈを設けて、流体の通過抵抗が少なくできるように作製してある。
【００２１】
また、孔空きした金属板材の孔を大きくして筒体の補強体としその内周面に網目の小さな金網材を内張して作製したものもある。
【００２２】
把手５は、幅狭の板状材を用いて、筒体３の直径方向に跨いで内周面に内嵌できる長さに両端の折り返し代を見込んでカットし、その両端を同方向に直角に折り曲げたコの字形状に作製する。板幅は、筒体３の内断面に内嵌した把手５幅を除いて出来る半割状の２つのスペースにこの筒状スクリーン１の取出し用のペンチ等の口先が入るようにしてある。
【００２３】
次いで本発明のストレーナの清掃手順について、図３ストレーナ用の筒状スクリーンの着脱状態の説明図を用いて説明する。先ず接続配管中のストレーナ出入口に通じる開閉弁を閉じて管路内の流れを止めて以下のように行う。
【００２４】
（１）挿脱口Ｃの開放：スクリーンホルダー４３の外観側に突設した六角頭をパイプレンチ等で緩めて指先ｄで取り外す（図３（ａ）の状態）。この時、筒状スクリーンが（ａ）図のように容易に外れず（ｂ）図のようにストレーナ内部に取り残された状態に成りる。
【００２５】
（２）そこで筒状スクリーン１の引き出し：ペンチ等の挟み具Ｔで筒状スクリーン１の把手５を挟んで引っ張って引き出す、或いは筒状スクリーンの把手５に先端を曲げた引っ掛け状の治具を用いて引き出す。
【００２６】
（３）取り出したスクリーンの清掃：筒状の内外面の汚れをブラッシ等で磨いて落とし、小孔ｈの孔掃除を行う。同時にストレーナ本体内の環状溝４７の汚れを除く。
【００２７】
（４）清掃を終えて、筒状スクリーン１の装着：ペンチ等の挟み具Ｔで筒状スクリーン１の把手５を挟持し、挿脱口から（ａ）図のようにスクリーンをホルダーの先端の段付き部に嵌着して先に組み立てて指先に掴んで挿入し突き当たりの環状溝４７に筒状スクリーン１を押し込み着装する。或いは、（ｂ）図のようにスクリーンの把手をペンチ等の挟み具Ｔで掴んでストレーナ内部に挿入して突き当たりの環状溝４７に筒状スクリーン１を押し込んで、着座させておいてスクリーンホルダーの先端段付き部をスクリーンの端面に押し込んで嵌入させて着装する。
【００２８】
（５）以上の着装状態で挿脱口Ｃの閉栓：スクリーンホルダー４３先端部の段付き部４６を筒状スクリーン１の内周に嵌入して納めた状態で挿脱口のネジ合わせと共に締め込む。
【００２９】
【発明の効果】
請求項１に記載のストレーナ用の筒状スクリーンでは、ストレーナ内に収容した筒状スクリーン内に濾過異物が溜まって汚れが増し或いはスクリーンの目づまりから圧力差による変形や環状溝への装着不良による変形等から本体内の環状溝部に固着して、取り出そうにもその術がないスクリーンの把手を挟んで容易に引き出せることから清掃作業に手間取ることもなく確実に容易に対応出来、早め早めに清掃できるから流体の通過圧力損失も常に小さく抑えられ、また清掃時間の短縮等により生産性向上が得られた。
【００３０】
請求項２に記載のストレーナ用の筒状スクリーンでは、コの字形の把手を曲げることで、把手自体の両端部強度が高められて且つ筒状スクリーンの内周面への接着強度を大きく出来、把手のサイズを薄く幅狭に出来る。
【００３１】
請求項３に記載のストレーナ用の筒状スクリーンでは、筒状スクリーンの端部で把手の両側に半円孤状のスペースが出来、把手を掴むペンチの口先状の治具や口先がＬ字状の引掛け具が挿入できる。また溶接ではスポット溶接により出っ張り部の発生もなく充分な接着強度が得られ、更に掴み部と両端の曲がり部から成る把手の掴み部をスクリーンの端面から重なり長さを奥に後退させて跨らす工夫により薄い掴み部がスクリーンホルダーの段付き部の挿入長さの邪魔にならないからスクリーンホルダーはそのまま使用できる。
【図面の簡単な説明】
【図１】本発明に係わるストレーナ用の筒状スクリーンの全体図であり、（ａ）その軸線を含む縦断面図、（ｂ）外観側面図である。
【図２】本発明に係わる筒状スクリーンを装着したＹ型ストレーナの全体断面図である。
【図３】本発明に係わるストレーナ用の筒状スクリーンの着脱状態の説明図で、（ａ）着脱途中状態、（ｂ）引き出し開始或いは着座終了状態を表す。
【図４】従来の筒状スクリーンの装着状態説明図であり、（ａ）Ｙ型ストレーナ、（ｂ）スチームトラップを表している。
【図５】ストレーナ用の筒状スクリーンに係わる先行文献の参考図であり、（ａ）参考文献１の抜粋、（ｂ）参考文献２の抜粋である。
【符号の説明】
１  筒状スクリーン
３  筒体
５  把手
３０  ストレーナ
４０  Ｙ型ストレーナ
４３  スクリーンホルダー
４６  ホルダー段付き部
４７  環状溝
５５  スチームトラップ
ｈ  小孔
ｓ  溶接
ｇ  異物
ｌ  重なり部
Ｃ  挿脱口
Ｔ  ペンチ等の掴み具
【図１】
2004230305.tif 000003
【図２】
2004230305.tif 000004
【図３】
2004230305.tif 000005
【図４】
2004230305.tif 000006
【図５】
2004230305.tif 000007